(57)【要約】【課題】地上デジタル放送において、受信できないチャンネルの番組情報を番組ガイドとして表示しないようにして使用者の視認性と操作性を向上させる。【解決手段】受信部１は、ＲＦ信号から１つの周波数チャネルを選択するとともに復調及び誤り訂正を行う。デスクランブル部２はデスクランブルを行う、多重分離部３はデスクランブルされた受信データであるトランスポートストリームを各メディアに分離する、ＭＰＥＧデコーダ４は多重分離部３で分離されたビデオデータとオーディオデータをデコードする。ＤＡＣ５２はＭＰＥＧデコーダ４からのオーディオ信号をＤＡ変換し、ＴＶ受像機２０１に出力する。システム制御部６は番組配列情報から番組ガイドのビットマップデータを作成する。ＯＳＤ５１はＭＰＥＧデコーダ４からのビデオ信号をビデオエンコードし、ビットマップデータを重ね合わせてＴＶ受像機２０１に出力する。【選択図】　　　　図１
2004023685.tif 000002
【特許請求の範囲】
【請求項１】
地上デジタル放送のサービスを受信して番組配列情報を抽出し、番組ガイドをＴＶ受像機に表示できるデジタル放送受信機において、チャンネルスキャンを行い受信可能なチャネルをデジタル放送受信機の中に記録して、前記番組配列情報の中から受信可能なチャネルの番組情報を番組ガイドとして表示して、受信できないチャネルの番組情報は番組ガイドに表示しないことを特徴としたデジタル放送受信機。
【請求項２】
あらかじめ地域情報として地域別に受信可能なチャネルをデジタル放送受信機に記録しておき、使用者の操作で郵便番号を入力することによりデジタル放送受信機が設置された地域を特定し、地域情報から受信可能なチャネルを自動で判断して、番組配列情報の中から受信可能なチャネルの番組情報を番組ガイドとして表示し、受信できないチャネルの番組情報は番組ガイドに表示しないことを特徴とした請求項１に記載のデジタル放送受信機。
【請求項３】
あらかじめ地域情報として地域別に受信可能なチャネルをデジタル放送受信機に記録しておき、使用者の操作で電話番号を入力することによりデジタル放送受信機が設置された地域を特定し、地域情報から受信可能なチャネルを自動で判断して、番組配列情報の中から受信可能なチャネルの番組情報を番組ガイドとして表示し、受信できないチャネルの番組情報は番組ガイドに表示しないことを特徴とした請求項１に記載のデジタル放送受信機。
【請求項４】
デジタル放送受信機が表示する地域選択画面からデジタル放送受信機が設置されている場所を選択することによって、地域情報から受信可能なチャネルを自動で判断して、番組配列情報の中から受信可能なチャネルの番組情報を番組ガイドとして表示し、受信できないチャネルの番組情報は番組ガイドに表示しないことを特徴とした請求項１に記載のデジタル放送受信機。
【発明の詳細な説明】
【０００１】
【発明の属する技術分野】
この発明は、地上デジタル放送を受信するデジタル放送受信機に関するものである。
【０００２】
【従来の技術】
衛星を利用して、ＭＰＥＧ方式によりデジタル的に圧縮された映像信号を伝送するＢＳデジタル放送が実用化されている。現在のＢＳデジタル放送は、テレビ・ラジオ・データの３つに分類されて放送を行っているが、すべてのＴＳ（トランスポートストリーム）に全局の番組配列情報が多重される。これにより、全局の番組情報を番組ガイドとして表示することができる。衛星を利用しているためデジタル放送受信機で受信した番組配列情報の番組は全て受信することが可能である。ただし、デスクランブルについては放送事業者との契約による。
【０００３】
しかし、今後実用化される地上デジタル放送においては、送信側で全局の番組配列情報を多重しても、デジタル放送受信機が全ての番組を受信できる訳ではない。たとえば、東京に設置されたデジタル放送受信機が、大阪の番組を受信することはできない。よって、地上デジタル放送の場合は番組配列情報をすべて番組情報として表示すると視認性と操作性の悪いものとなってしまう。
【０００４】
また、地上デジタル放送は変調方式としてマルチパスによる周波数選択性フェージングに強いＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）が採用されているためＳＦＮ（ＳｉｎｇｌｅＦｒｅｑｕｅｎｃｙ　Ｎｅｔｗｏｒｋ）となることが期待されているが、現状ではＭＦＮ（Ｍｕｌｔｉ　Ｆｒｅｑｕｅｎｃｙ　Ｎｅｔｗｏｒｋ）となる可能性が高い。ＭＦＮとなった場合、同じ番組が複数の周波数チャネルでサービスされることとなる。この場合、番組配列情報に記述されるＦｒｅｑｕｅｎｃｙには、使用する周波数を列記することとなっている。よって、デジタル放送受信機で番組を選択する際に番組配列情報の中に列記されている複数のＦｒｅｑｕｅｎｃｙのどの周波数チャネルを選択しなければならないのかは、実際に周波数チャネルを選択して受信しなければわからない。
【０００５】
【発明が解決しようとする課題】
前記の様にＢＳデジタル放送は全局ＳＩ（Ｓｅｒｖｉｃｅ　Ｉｎｆｏｒｍａｔｉｏｎ：番組配列情報）で運用していて衛星を利用したサービスであるため番組配列情報に記述しているチャンネルは全てサービスを受けることが可能である。しかし、地上デジタル放送が全局ＳＩとなった場合、番組配列情報に記述しているチャンネルが必ずしもサービスを受けられるとは限らず、全国の地上テレビ放送局の番組配列情報が入ることとなるが、大部分のチャンネルはサービスを受けることができない。また、番組ガイドにサービスを受けられない受信できない番組を表示しても視認性と操作性が悪いものとなってしまう。
【０００６】
また、地上デジタル放送がＭＦＮとなった場合には、番組配列情報の中の地上分配システム記述子のＦｒｅｑｕｅｎｃｙが複数列記されることとなり、番組配列情報だけではどの周波数チャネルに合わせれば番組が選択できるのかわからない。
【０００７】
【課題を解決するための手段】
本発明のデジタル放送受信機は、地上デジタル放送を受信してチャネルスキャンを行うことによって受信可能なチャンネル（周波数とサービスＩＤ）を記録しておき、地上デジタル放送にて多重される番組配列情報の中から受信できないチャンネルの番組情報を番組ガイドに表示しないようにして番組ガイドの視認性と操作性を良くするものである。
【０００８】
また、デジタル放送受信機の中に地上デジタル放送の地域情報をあらかじめ記録しておき、使用者がデジタル放送受信機に地域を特定できる郵便番号・電話番号または地域名を入力することによって、デジタル放送受信機が設置された地域を特定し番組配列情報の中から特定した地域で受信できないチャンネルの番組情報を番組ガイドとして表示しないようにして番組ガイドの視認性と操作性を良くするものである。
【０００９】
【発明の実施の形態】
実施の形態１．
以下、図面に従い、デジタル放送受信機がＴＶ受像機に対してビデオ信号及びオーディオ信号を出力するまでの形式の実施例を説明する。
【００１０】
図１は、本発明の実施形態１を示す機能ブロック図である。図において、１は、ＲＦ信号から１つの周波数チャネルを選択するとともに復調及び誤り訂正を行う受信部、２はデスクランブル部、３はデスクランブルされた受信データであるトランスポートストリーム（以後ＴＳとする）を各メディアに分離する多重分離部、４は多重分離部３で分離されたビデオデータとオーディオデータをデコードするＭＰＥＧデコーダ、５１はＭＰＥＧデコーダ４からのビデオ信号をビデオエンコードするＯＳＤ（Ｏｎ　Ｓｃｒｅｅｎ　Ｄｅｍａｎｄ）、５２はＭＰＥＧデコーダ４からのオーディオ信号をＤＡ変換するＤＡＣ（Ｄｉｇｉｔａｌ　Ａｎａｌｏｇ　Ｃｏｎｖｅｒｔｅｒ）、２０１はＴＶ受像機、６は番組配列情報から番組ガイドのビットマップデータを作成するシステム制御部、６１はプログラムを格納するＲＯＭ、６２はＲＡＭ、６３は地域情報やユーザデータを記録する不揮発性メモリ、３０１は入力操作制御部である。
【００１１】
次に、動作を説明する。全ての実施の形態では地上デジタル放送を全局ＳＩで運用することを前提としている。即ち、各地上局の番組情報が中央の局によって収集され、ここで全局の番組配列情報（いわゆる番組表）が作成され全ての地上局に配信される。
【００１２】
地上デジタル放送用のアンテナ（図では省略している）からＲＦ信号が受信部１へ入力され１つの周波数チャネルが選択される。受信部１では復調及び誤り訂正が行われ、ＴＳの信号となる。受信部１から出力されたＴＳは、デスクランブル部２でデスクランブルされる。１つの周波数チャネルには複数のＴＳが存在しているが、デスクランブルブル部２では使用者が選択した番組のＴＳに対してデスクランブルを行い、その他のＴＳに対してはデスクランブルの処理は行わないまま出力する。デスクランブル部２から出力されたＴＳは、多重分離部３で各メディアに分離される。多重分離部３で分離処理されるＴＳは、使用者が選択した番組のＴＳであり、その他のＴＳは多重分離部３では処理されない。多重分離部３で分離されたビデオデータとオーディオデータは、ＭＰＥＧデコーダ４でそれぞれデコード処理され、ビデオ信号はＯＳＤ５１へ出力し、オーディオ信号はＤＡＣ５２に出力される。ＯＳＤ５１では、ＭＰＥＧデコーダ４からのビデオ信号をビデオエンコードしてデジタル放送受信機１０１からアナログのビデオ信号として出力する。ＤＡＣ５２では、ＭＰＥＧデコーダ４からのオーディオ信号をＤＡ変換してアナログのオーディオ信号として出力し、その結果このアナログのオーディオ信号はデジタル放送受信機１０１から出力される。デジタル放送受信機１０１から出力されたアナログのビデオ信号とオーディオ信号は、ＴＶ受像機２０１で表示される。
【００１３】
次に、図１の機能ブロック図によって、受信から番組ガイドのデータ作成から表示までを説明する。
受信部１から多重分離部３までの流れは、前記のビデオ信号及びオーディオ信号と同じである。多重分離部３でＴＳから分離された番組配列情報は、システム制御部６で処理されＲＡＭ６２に格納される。また、システム制御部６は格納された番組配列情報から放送事業者、チャンネル（サービスＩＤ）、番組情報を抽出し図２に示すような番組ガイドのビットマップデータを作成し、ＯＳＤ５１にこのビットマップデータを出力する。ＯＳＤ５１では、使用者の番組ガイド表示の指示に従ってＭＰＥＧデコーダ４からのビデオ信号に番組ガイドのビットマップデータを重ね合わせてアナログのビデオ信号として出力する。
【００１４】
図２は番組ガイドのビットマップイメージであり、番組配列情報から抽出した事業者２１、チャンネル番号（サービスＩＤ）２２、番組２３を表わしている。
【００１５】
図１のシステム制御部６の周辺について説明する。ＲＯＭ６１にはプログラムが書き込まれている。ＲＡＭ６２は、プログラム動作用である。不揮発性メモリ６３は動作中の書き込みが可能となっており、予め地域情報やユーザーデータを記録しておく。入出力操作制御部３０１は、使用者のリモコンによる操作を赤外線で受信してシステム制御部６へ通知したり、デジタル放送受信機１０１の前面に取り付けてある表示管の制御を行ったりする。
【００１６】
まず、チャネルスキャンによるプリセットチャネルの手順について説明する。図３は、システム制御部６によって行われるチャネルスキャンの手順を示したものである。使用者の操作によってチャネルスキャンが起動される。デジタル放送受信機の受信部１は、地上デジタル放送のサービスで使用されるＵＨＦ帯のチャネルを１チャネルずつ受信していく。一方、システム制御部６は、使用者によって、チャネルスキャンが指定されると、周波数チャネルのスキャンを開始する（ステップＳ１）。そして、受信レベルが所定の値より大きく受信可能なチャネルがあれば、番組配列情報を抽出してＲＡＭ６２に記録する（ステップＳ２）。次に、全ての周波数チャネルのスキャンが完了したか否かを調べ（ステップＳ３）、まだ完了していなければ、周波数チャネルのスキャンを引き続き実行する（ステップＳ４）。全ての周波数チャネルのスキャンが完了したら、受信可能な周波数チャネルとサービスＩＤをＲＡＭ６２に記録する（ステップＳ５）。次に、ＲＡＭ６２に記録したデータの中に同じサービスＩＤがあるか否かを調べ（ステップＳ６）、同じサービスＩＤがある場合には、受信部１での入力レベルが高い方を選択する（ステップＳ７）。なければステップＳ８へ進む。以上の作業で受信可能なチャネルの一覧を作成し不揮発性メモリ６３に記録する（ステップＳ８）。
【００１７】
以上により、受信可能なデータを記録したデジタル放送受信機は、使用者からの番組ガイド要求に対して受信可能なチャンネルの番組のみを番組ガイドとして表示するようになり、受信できないチャンネルの番組は番組ガイドに表示されなくなる。
【００１８】
実施の形態２．
地域情報を使用して受信できるチャンネルを特定する方法について説明する。デジタル放送受信機１０１の構成は、実施の形態１と同じである。
【００１９】
デジタル放送受信機の不揮発性メモリ６３に、地域情報として郵便番号または電話番号に対応して受信できるチャンネルのデータをあらかじめ記録しておく。使用者の操作によって、デジタル放送受信機が設置された地域の郵便番号、電話番号をデジタル放送受信機に入力する。または、地域選択画面から受信機が設置されている地域を選択する。デジタル受信機においてシステム制御部６は、入力操作制御部３０１を介して外部から郵便番号または電話番号を入力すると、この郵便番号または電話番号に基づき、当該デジタル放送受信機が設置された地域を特定する。そして、地域情報から受信可能なチャネルを判断して、番組配列情報の中から受信可能なチャネルの番組情報を抽出して番組ガイドのビットマップデータを作成して、ＯＳＤ５１にビットマップデータを出力する。ＯＳＤ５１では、使用者の番組ガイド表示の指示に従ってＭＰＥＧデコーダ４からのビデオ信号に番組ガイドのビットマップデータを重ね合わせてアナログのビデオ信号としてＴＶ受像機２０１に出力する。これにより受信可能なチャネルの番組情報を番組ガイドとして表示し、受信できないチャネルの番組情報は番組ガイドに表示しないようになる。また、デジタル受信機は、地域選択画面でデジタル受信機が設置されている地域が使用者によって選択されると、当該デジタル放送受信機が設置された地域を特定し、上記と同様にして、番組配列情報の中から当該地域で受信可能なチャネルの番組情報のみを抽出して番組ガイドのビットマップデータを作成してＴＶ受像機２０１に出力する。
【００２０】
これにより受信可能なチャネルの番組情報を番組ガイドとして表示し、受信できないチャネルの番組情報は番組ガイドに表示しないようになる。
【００２１】
以上のように、使用者からの番組ガイド要求に対して地域情報に基づいた受信可能なチャンネルの番組のみを表示するようになり、受信できないチャンネルの番組は表示されなくなる。
【００２２】
【発明の効果】
以上に述べたように本発明によれば、地上デジタル放送のデジタル放送受信機において、チャンネルスキャンを行い受信可能なチャネルをデジタル放送受信機の中に記録して、前記番組配列情報の中から受信可能なチャネルの番組情報を番組ガイドとして表示して、受信できないチャネルの番組情報は番組ガイドに表示しないようにしたので、番組ガイドの視認性と操作性が改善されるという効果がある。
【００２３】
また、郵便番号を入力することによりデジタル放送受信機が設置された地域を特定し、地域情報から受信可能なチャネルを自動で判断して、番組配列情報の中から受信可能なチャネルの番組情報を番組ガイドとして表示し、受信できないチャネルの番組情報は番組ガイドに表示しないようにしたので、番組ガイドの視認性と操作性が改善されるという効果がある。
【００２４】
また、使用者の操作で電話番号を入力することによりデジタル放送受信機が設置された地域を特定し、地域情報から受信可能なチャネルを自動で判断して、番組配列情報の中から受信可能なチャネルの番組情報を番組ガイドとして表示し、受信できないチャネルの番組情報は番組ガイドに表示しないようにしたので、番組ガイドの視認性と操作性が改善されるという効果がある。
【００２５】
また、デジタル放送受信機が表示する地域選択画面からデジタル放送受信機が設置されている場所を選択することによって、地域情報から受信可能なチャネルを自動で判断して、番組配列情報の中から受信可能なチャネルの番組情報を番組ガイドとして表示し、受信できないチャネルの番組情報は番組ガイドに表示しないようにしたので、番組ガイドの視認性と操作性が改善されるという効果がある。
【図面の簡単な説明】
【図１】この発明の実施の形態１に示すデジタル受信機を説明するための図である。
【図２】番組ガイドの説明をするための図である。
【図３】この発明の実施形態１に示すチャネルスキャンによる動作を説明するための図である。
【符号の説明】
１　受信部、　２　デスクランブル部、　３　多重分離部、　４　ＭＰＥＧデコーダ部、　５１　ＯＳＤ部、　５２　ＤＡＣ部、　６　システム制御部、　６１　ＲＯＭ、　６２　ＲＡＭ、　６３　不揮発性メモリ、　１０１　デジタル放送受信機、　２０１　ＴＶ受像機、　３０１　入力操作制御部。
【図１】
2004023685.tif 000003
【図２】
2004023685.tif 000004
【図３】
2004023685.tif 000005